(57)【要約】      （修正有）【課題】家庭用観賞用水槽の既製蓋に設けられた切り欠き部分によってできる隙間を、平易に補って塞ぐ隙間用部分蓋を提供する。【解決手段】直角の水槽角閉蓋部を有する蓋面薄板部１と、コの字型固定具２を備えた、隙間用部分蓋を作成し、水槽角部の既製蓋切り欠き部分に、既製蓋と併用して設置する。これにより本発明隙間用部分蓋が、既製蓋の切り欠き部分を補い、既製蓋と併せて水槽上面を略全面に亘って塞ぐことができる。また蓋面薄板部に貫通孔や小窓部を設け、配管や給餌の用途にも対応できるようにする。【選択図】図１
2019193579.tif 000002
【特許請求の範囲】
【請求項１】
家庭用観賞用の水槽の、開放された上面を覆う蓋体において、
水槽既製蓋と併用し、前記水槽既製蓋に設けられた切り欠き部分を補って塞ぐ、隙間用部分蓋であって、
前記隙間用部分蓋は、蓋面である蓋面薄板部と、水槽との固定具であるコの字型固定具とを備え、
前記蓋面薄板部の面形状は、辺縁が略直角の、水槽角閉蓋部を唯一つ有する形状であって、
前記蓋面薄板部の面方向は、設置時略水平方向であって、
前記蓋面薄板部の面の大きさは、前記水槽角閉蓋部の直角を挟む二辺が、それぞれ３センチメートル以上の長さを有する、家庭用観賞用の水槽の前記水槽既製蓋の前記切り欠き部分を、略補って塞ぐ大きさであって、
前記コの字型固定具は、水槽壁内下垂足と、水槽壁外下垂足と、水槽壁上の溝端部とを備えた、設置時鉛直下方向に開放したコの字型の、水槽壁挿入溝を有し、水槽の壁部を前記水槽壁挿入溝に挿入して固定する構造の、固定具であって、
前記コの字型固定具が、前記蓋面薄板部の、前記水槽角閉蓋部の直角を挟む二辺の、当該直角の頂点から１５センチメートル以内のいずれかの箇所に、前記蓋面薄板部の面方向と前記水槽壁挿入溝の挿入方向が、略垂直になる角度に設けられており、
前記水槽角閉蓋部は、前記蓋面薄板部の、面の辺縁形状が略直角である辺縁部の、当該直角周辺の部位であって、当該直角を挟む二辺上の、当該直角から１５センチメートル以内のいずれかの箇所に、前記コの字型固定具を備えた部位であることを特徴とする、家庭用観賞用水槽の隙間用部分蓋。
【請求項２】
前記蓋面薄板部の設置時上側面の設置時高さが、前記コの字型固定具の前記水槽壁挿入溝の前記溝端部の設置時高さに比して、設置時鉛直下方向に３ミリメートル以上の、潜り込み段差を有することを特徴とする、請求項１に記載の家庭用観賞用水槽の隙間用部分蓋。
【請求項３】
前記コの字型固定具が、前記水槽壁内下垂足と前記水槽壁外下垂足の間に挟力を有する、クリップまたはクランプであることを特徴とする、請求項１または２に記載の家庭用観賞用水槽の隙間用部分蓋。
【請求項４】
前記コの字型固定具が、前記蓋面薄板部の前記水槽角閉蓋部の直角を挟む二辺のそれぞれに、少なくとも１つ設けられていることを特徴とする、請求項１から３のいずれかに記載の家庭用観賞用水槽の隙間用部分蓋。
【請求項５】
前記蓋面薄板部に、配線配管等用の貫通孔を設けた前記隙間用部分蓋であって、
前記貫通孔は、第一孔部と起立管部とを備え、
前記第一孔部は、前記蓋面薄板部を貫通するように設けられた穴であって、
前記起立管部は、前記第一孔部から連通して延設される、管状の構造体であることを特徴とする、請求項１から４のいずれかに記載の家庭用観賞用水槽の隙間用部分蓋。
【請求項６】
前記蓋面薄板部に、給餌等用の小窓部を設けた前記隙間用部分蓋であって、
前記小窓部は、第二孔部と扉部とを備え、
前記第二孔部は、前記蓋面薄板部を貫通するように設けられた穴であって、
前記扉部は、前記第二孔部を開閉可能な、扉状の構造体であることを特徴とする、請求項１から５のいずれかに記載の家庭用観賞用水槽の隙間用部分蓋。
【発明の詳細な説明】
【技術分野】
【０００１】
本発明は、家庭用観賞用水槽の上面を覆う既製蓋の、切り欠き部分を補って塞ぐ、隙間用部分蓋に関する。
【背景技術】
【０００２】
家庭用観賞用の水槽には、上面を覆うための蓋が使用されることが多い。  その理由として、蓋が、飼育する生物の飛び出しや、水槽水の飛散・蒸発・温度変化を防ぐなどの効果を有していることが挙げられる。  市販の家庭用観賞用水槽に付属する既製蓋は、通常ガラスまたはプラスチック製の透明板であり、１枚か２枚で開放された水槽上面の略全面を覆う構造となっている。  面形状は水槽上面の開放面と略同形状であるが、多くの既製蓋は、一部の角周辺に三角形等の切り欠きがされており（特許文献１，４）、これは、この切り欠き部分の開口している隙間から、水槽内器具の配線を通したり、給餌を行うことなどを主な目的としている。  上記の水槽蓋の効果に鑑みれば、この切り欠きは明らかに効果の妨げとなっているのだが、使用者の様々な用途に幅広く対応するため、既製蓋には予めやや大きめの切り欠きが設けられるのが一般的である。  水槽内にヒーターやエアレーション等の器具を設置し、それらの配線や配管を、水槽上面を覆う既製蓋の切り欠き部分から水槽外へ通すと、その切り欠き部分の隙間が開口した状態となり、そこから飼育する生物が逃げ出す・飛び出す、水槽水が飛散・蒸発する、ヒーターで加温している水槽水の熱が、水槽外に放出されるなどの問題があった。  その対策として、切り欠き部分の隙間にウール等を詰めるなどの方法もあったが、見栄えが悪いうえ、上手く隙間を埋めることは難しかった。  密閉可能な開閉扉を設けた特殊な蓋（特許文献３，４）などが提案されたが、大掛かりな構造の割に実用性・汎用性に乏しいため、商品化できず特許化しなかった。  既製蓋の切り欠き部分の隙間を、平易に補って塞ぐ器具は存在しなかった。
【先行技術文献】
【特許文献】
【０００３】
【特許文献１】特開平１０−９８９７６号公報
【０００４】
【特許文献２】特開平１１−１５５４１６号公報
【０００５】
【特許文献３】特開平１１−１３７１１９号公報
【０００６】
【特許文献４】特開平１０−１５０８８１号公報
【発明の概要】
【発明が解決しようとする課題】
【０００７】
家庭用観賞用水槽の上面を覆う既製蓋に、一般的に設けられる切り欠き部分は、給餌や配線・配管に際し有用であるが、上蓋の開口部となって閉蓋を不完全にするため、この隙間から、飼育する生物が逃げ出す、水槽水が飛散・蒸発する、熱が放出されるという問題があった。
【０００８】
この水槽既製蓋の切り欠き部分に、ウール等の軟質材を詰める対策は、切り欠き穴が平面であるため、詰めた材がはみ出すなど、見た目が悪く観賞価値を損ねるうえ、平易に隙間を埋めることはできなかった。
【０００９】
開閉扉を有する特殊蓋は、構成が大掛かりで、一般的な蓋に比べて大幅なコスト増加を強いられ、また様々なサイズの水槽に使用できるような汎用性がなかった。  本発明はこれらの課題を解消するためになされたものである。
【課題を解決するための手段】
【００１０】
家庭用観賞用の水槽の、開放された上面を覆う蓋体において、
水槽既製蓋と併用し、水槽既製蓋に設けられた切り欠き部分を補って塞ぐ、隙間用部分蓋であって、
隙間用部分蓋は、蓋面である蓋面薄板部と、水槽との固定具であるコの字型固定具とを備え、
蓋面薄板部の面形状は、辺縁が略直角の、水槽角閉蓋部を唯一つ有する形状であって、
蓋面薄板部の面方向は、設置時略水平方向であって、
蓋面薄板部の面の大きさは、水槽角閉蓋部の直角を挟む二辺が、それぞれ３センチメートル以上の長さを有する、家庭用観賞用の水槽の水槽既製蓋の切り欠き部分を、略補って塞ぐ大きさであって、
コの字型固定具は、水槽壁内下垂足と、水槽壁外下垂足と、水槽壁上の溝端部とを備えた、設置時鉛直下方向に開放したコの字型の、水槽壁挿入溝を有し、水槽の壁部を水槽壁挿入溝に挿入して固定する構造の、固定具であって、
コの字型固定具が、蓋面薄板部の、水槽角閉蓋部の直角を挟む二辺の、当該直角の頂点から１５センチメートル以内のいずれかの箇所に、蓋面薄板部の面方向と水槽壁挿入溝の挿入方向が、略垂直になる角度に設けられており、
水槽角閉蓋部は、蓋面薄板部の、面の辺縁形状が略直角である辺縁部の、当該直角周辺の部位であって、当該直角を挟む二辺上の、当該直角から１５センチメートル以内のいずれかの箇所に、コの字型固定具を備えた部位である、家庭用観賞用水槽の隙間用部分蓋を作成する。
【００１１】
これらの蓋面薄板部の設置時上側面の設置時高さが、コの字型固定具の水槽壁挿入溝の溝端部の設置時高さに比して、設置時鉛直下方向に３ミリメートル以上の、潜り込み段差を有する、家庭用観賞用水槽の隙間用部分蓋を作成する。
【００１２】
これらのコの字型固定具が、水槽壁内下垂足と水槽壁外下垂足の間に挟力を有する、クリップまたはクランプである、家庭用観賞用水槽の隙間用部分蓋を作成する。
【００１３】
これらのコの字型固定具が、蓋面薄板部の水槽角閉蓋部の直角を挟む二辺のそれぞれに、少なくとも１つ設けられている、家庭用観賞用水槽の隙間用部分蓋を作成する。
【００１４】
これらの蓋面薄板部に、配線配管等用の貫通孔を設けた隙間用部分蓋であって、
貫通孔は、第一孔部と起立管部とを備え、
第一孔部は、蓋面薄板部を貫通するように設けられた穴であって、
起立管部は、第一孔部から連通して延設される、管状の構造体である、家庭用観賞用水槽の隙間用部分蓋を作成する。
【００１５】
これらの蓋面薄板部に、給餌等用の小窓部を設けた隙間用部分蓋であって、
小窓部は、第二孔部と扉部とを備え、
第二孔部は、蓋面薄板部を貫通するように設けられた穴であって、
扉部は、第二孔部を開閉可能な、扉状の構造体である、家庭用観賞用水槽の隙間用部分蓋を作成する。
【発明の効果】
【００１６】
家庭用観賞用水槽に、既製蓋と併用して本発明隙間用部分蓋を設置すると、本発明蓋面薄板部に設けられた直角の水槽角閉蓋部が、水槽上部開口面の角部に、形状が合致するため、水槽角部に多く設けられる既製蓋の切り欠き部分を、的確に補って無駄なく塞ぐ。  よって既製蓋と併せて水槽の上部開放面を、略全面に亘って覆うことができる。  これにより水槽内で飼育する生物の飛び出し・逃げ出しを防ぐことができ、また水槽水の飛散や蒸発を防ぐ、水槽水をヒーター等で加温している場合には、熱の放出を防ぐ、といった効果を発揮することができる。
【００１７】
本発明コの字型固定具の水槽壁挿入溝の溝端部の設置時高さと、本発明蓋面薄板部の上側面の設置時高さに、潜り込み段差が設けられていれば、本発明水槽壁挿入溝に水槽壁部を挿入し、既製蓋と併用設置すると、本発明蓋面薄板部のうち、既製蓋の切り欠き部をはみ出す面部は、既製蓋の鉛直下側に潜り込む恰好になり、既製蓋が本発明蓋面薄板部を上から押さえ付ける状態となる。  このため本発明隙間用部分蓋は、切り欠き部分を密に塞ぐことができ、また水槽内の飼育生物からの突き上げ等に対し、より強固に塞ぐことができる。  そのうえ既製蓋と本発明蓋面薄板部の、設置時の面の高さが異なることで、互いに干渉しないため、本発明は既製蓋の形状や切り欠き部分の大きさに関わらず、あらゆる既製蓋と併用可能な汎用性を持つことができる。
【００１８】
コの字型固定具がクリップまたはクランプである本発明隙間用部分蓋では、設置時に、本発明水槽壁挿入溝に水槽壁部を挿入して固定するだけでなく、水槽壁内外の両下垂足の間の挟力で水槽壁部を挟みつけるため、より強固に固定でき、またフレームレス水槽以外の、様々な形状の水槽壁部にも設置可能な汎用性を持つことができる。
【００１９】
蓋面薄板部の水槽角閉蓋部の直角を挟む二辺のそれぞれに、少なくとも１つのコの字型固定具が設けられた本発明隙間用部分蓋では、水槽の角を形成する、直角に接合された２枚の水槽壁部のそれぞれを、これらのコの字型固定具の水槽壁挿入溝に、それぞれ挿入するようにして水槽の角部に設置すれば、本発明は水槽の角位置に強固に固定されて、ずれることがない。
【００２０】
第一孔部と起立管部からなる貫通孔を備えた本発明隙間用部分蓋では、当該貫通孔に水槽内器具の配線・配管を通して使用する際に、貫通孔の隙間にウール等の軟質材を詰めて、平易にその隙間を塞ぐことができる。  本発明起立管部により、穴が管状をなすため、平面に設けられた穴と違い、管内に軟質材を詰め易く、隙間を強固かつ密に埋めることができる。  また、平面に設けられた穴のように、隙間に詰めた材がはみ出して観賞価値を損ねることがなく、見栄えが良い。
【００２１】
小窓部を設けた本発明隙間用部分蓋では、普段は既製蓋と本発明隙間用部分蓋を併用設置して、水槽の開放上面を密に閉蓋しながら、給餌等の際には本発明扉部を開けて、容易に給餌等が行える。  大きな面積を持つガラスやプラスチック製の蓋に小窓を設けるよりも低コストで、様々な水槽や既製蓋に対し、使用可能な汎用性を持つことができる。
【図面の簡単な説明】
【００２２】
【図１】家庭用観賞用水槽に設置された本発明の斜視図である。
【図２】設置時水平方向から見た本発明の側面図である。
【図３】設置時鉛直下方向から見た本発明の底面図である。
【図４】潜り込み段差を有する本発明の蓋面薄板部が、水槽既製蓋の鉛直下側に潜り込んで設置されている状態の説明図である。
【図５】潜り込み段差を大きめに設け、柔軟な蓋面薄板部を水平よりもわずかに上方向に向けた角度で設けた本発明蓋面薄板部が、既製蓋に密着した状態の説明図である。
【図６】ネジ式クランプを設けたコの字型固定具の説明図である。
【図７】下垂足を湾曲させ、口金を設けクリップとしたコの字型固定具の説明図である。
【図８】貫通孔を設けた本発明の斜視図である。
【図９】小窓部を設けた本発明を鉛直上方向から見た状態の説明図である。
【図１０】一般的な水槽と、貫通孔を有する本発明を設置した水槽を並べ、それぞれの水槽内器具の配線・配管の隙間に軟質材を詰めた状態の、比較説明図である。
【図１１】水槽壁挿入溝に、クッション材で挿入限界を規定したコの字型固定具の説明図である。
【図１２】切り欠き部分が設けられた、一般的な家庭用観賞用水槽の既製蓋の斜視図である。
【図１３】切り欠き部分が設けられた既製蓋２枚によって上面が閉蓋されている、家庭用観賞用水槽の斜視図である。
【図１４】既製蓋の切り欠き部分から、水槽内器具の配線・配管を通した状態の、一般的な家庭用観賞用水槽の斜視図である。
【図１５】本発明を設置使用して、既製蓋の切り欠き部分を塞いだ状態の、家庭用観賞用水槽の斜視図である。
【発明を実施するための形態】
【００２３】
透明の硬質プラスチックを材料に、一体成型または、各部を成形した後に接合する方法等により、隙間用部分蓋を作成する。  形状は、蓋面となる直角二等辺三角形の薄板１と、この薄板の直角４を挟む二辺５の、各辺の中央付近に設けたコの字型の固定具２からなる。  薄板は厚さ１ミリメートル、直角を挟む二辺の長さが各１０センチメートル程度に作成し、コの字型固定具は、長さ５センチメートル、幅１センチメートル、厚さ３ミリメートル程度の長方形板材の２箇所を９０度に折り曲げてコの字型とした形状に作成する。  板材の折り曲げ箇所は、板材の長さ方向の中間点付近に、５ミリメートル程度の間隔を空けて幅方向に２本の平行な折り曲げ線ができるように、２本とも同方向に折り曲げる。  コの字の板材の間隙が、水槽壁部を挿入する挿入溝２５となるため、２本の折り曲げ線の間隔は水槽の壁部１０の厚さに準じて作成する。  例えば５ミリメートル厚のガラス板からなるフレームレス水槽に用いるのであれば、折り曲げ線の間隔、つまり挿入溝２５の幅は、５、５ミリメートル程度とする。  薄板と固定具の相対位置関係は、水槽設置時に薄板が蓋面をなすよう、薄板の面部を水平方向に向けたとき、固定具のコの字の溝２５が、鉛直下側に開放される向きとする。  また、コの字の溝の最奥部８が、薄板の面部よりも５ミリメートル程度鉛直上側に位置するようにする。  この段差１２があることにより、本発明を水槽に設置し、水槽壁部１０がコの字型固定具２の挿入溝２５の最奥部８まで挿入されると、本発明の蓋面薄板部は、水槽壁部の上端から段差分鉛直下方向に位置することとなり、水槽壁部１０の上端に設置時上側面が揃うように設計された水槽既製蓋９の、鉛直下側に潜り込むことができる。  潜り込み段差１２を設けない場合は、既製蓋９と設置時高さを同じくし、切り欠き部分２４と略同形状の蓋面薄板部１で覆う構成でもよいし、切り欠き部分２４より面積の大きい蓋面薄板部で、既製蓋の鉛直上側から覆う構成でもよい。  材料は硬質プラスチックの他、ガラスやゴム・セラミック等でもよく、光透過性のない材料でもよい。  薄板の厚さは１ミリメートルよりも厚い硬質な蓋面としてもよいし、薄く弾性を有する柔軟な蓋面としてもよい。  例えば潜り込み段差を一般的な既製蓋の厚さよりも大きめに設け、柔軟な蓋面薄板部を水平よりもわずかに上方向に向けた角度で設ければ１１、本発明蓋面薄板部１が既製蓋９に密着するように作ることもできる。  薄板１の形状は、直角二等辺三角形でなくとも、直角三角形・扇型・多角形等、唯一つの水槽角閉蓋部３を有する形状であればよく、大きさも設置する水槽の既製蓋９の切り欠き部分２４の面積に合わせて作成すればよい。  固定具は幅広のものが１つでもよいし、３つ以上設けてもよい。  コの字型固定具２の水槽壁挿入溝２５は、単純なコの字状であれば、溝の最奥部８が溝端部８となるが、形状の設計やシリコンゴム等のクッション材２３で、溝内部に水槽壁部の挿入限界を規定する当接部位を設ければ、そこが溝端部８となる。  またこのクッション材２３の位置や厚さを変えることにより、本発明隙間用部分蓋の設置時高さを調節できる構成としてもよい。
【００２４】
コの字型固定具２をクリップやクランプとする。  水槽壁内外の両下垂足をヒンジ１３等で回動可能に連結し、金属バネ等で挟力を持たせたクリップ（図７）としてもよいし、ネジ式のクランプ（図６）としてもよい。  その場合、各下垂足の形状は、単純な板状、内側に湾曲させた形状１４の他、水槽壁部１０を挟圧迫する、水槽壁部１０との接触部位に、シリコンゴム等の軟質材・吸着材等の口金部１５を設けるなどしてもよい。
【００２５】
蓋面の薄板に貫通孔を設ける。  直角を挟む二辺５が各１０センチメートルの扇型の薄板の直角４付近に真円形の貫通穴１７を開け、その穴１７を断面とする円管１８を、設置時上方向に３センチメートル程度延設した形状とする。  これをプラスチックの一体成型で作成してもよいし、貫通穴１７を開けた隙間用部分蓋本体と、当該貫通穴に接合する管状部材１８とで組み合わせて使用する構成でもよい。
【００２６】
蓋面の薄板に開閉可能な小窓を設ける。  小窓の扉機構は、開き戸や引き戸の他、取り外し式等でもよく、蓋面に開けられた貫通穴を開閉自在な構造の扉であればよい。
【符号の説明】
【００２７】
１  蓋面薄板部
２  コの字型固定具
３  水槽角閉蓋部
４  直角
５  直角を挟む二辺
６  水槽内下垂足
７  水槽外下垂足
８  溝端部
９  水槽既製蓋
１０  水槽壁
１１  水平やや上向きに設けられた柔軟な蓋面薄板部
１２  潜り込み段差
１３  ヒンジ
１４  内側に湾曲させた形状の下垂足
１５  口金部
１６  フレームのある水槽壁
１７  第一孔部
１８  起立管部
１９  第二孔部
２０  扉部
２１  軟質材
２２  水槽内器具の配線・配管
２３  クッション材
２４  切り欠き部分
２５  水槽壁挿入溝
【図１】
2019193579.tif 000003
【図２】
2019193579.tif 000004
【図３】
2019193579.tif 000005
【図４】
2019193579.tif 000006
【図５】
2019193579.tif 000007
【図６】
2019193579.tif 000008
【図７】
2019193579.tif 000009
【図８】
2019193579.tif 000010
【図９】
2019193579.tif 000011
【図１０】
2019193579.tif 000012
【図１１】
2019193579.tif 000013
【図１２】
2019193579.tif 000014
【図１３】
2019193579.tif 000015
【図１４】
2019193579.tif 000016
【図１５】
2019193579.tif 000017